(57)【要約】【課題】ハンドセットとハンドセット受部をユニット化し、本体への接続の有無の選択を可能にする。【解決手段】インターホンのハンドセット２とハンドセット受部３とをユニット化したハンドセットユニット１をインターホン本体４に着脱自在に接続し、ンドセットユニット１をインターホン本体４から取り外してインターホンをハンズフリータイプとして使用し、ハンドセットユニット１をインターホン本体４へ接続してインターホンをハンドセット付のハンズフリータイプとして使用する。【選択図】図１
2004260680.tif 000002
【特許請求の範囲】
【請求項１】
インターホンのハンドセット（２）とハンドセット受部（３）とをユニット化したハンドセットユニット（１）をインターホン本体（４）に着脱自在に接続し、
前記ハンドセットユニットを前記インターホン本体から取り外して前記インターホンをハンズフリータイプとして使用し、前記ハンドセットユニットを前記インターホン本体へ接続して前記インターホンをハンドセット付のハンズフリータイプとして使用することを特徴とするインターホンの筐体構造。
【請求項２】
前記ハンドセットユニットを前記インターホン本体から取り外したとき、前記インターホン本体のハンドセットユニット接続面（４ａ）上で、シャーシ（５）に前記ハンドセットユニットとの接続部にあたる接続溝（５ａ）を設け、前記接続溝に取り外し可能な接続溝蓋（５ｂ）を被蓋させたことを特徴とする請求項１記載のインターホンの筐体構造。
【請求項３】
前記ハンドセットユニットを前記インターホン本体へ接続するとき、前記シャーシからケース（６）を取り外した状態で前記ケース裏面よりハンドセットユニット接続ツメ（３ａ）を前記ケースに設けられた接続ツメ嵌合部（６ａ）に嵌めてツメ可動部（３ｂ）を弾性変形させ、前記ハンドセット受部が前記ケースに完全に嵌合された位置でツメ凸部（３ｃ）がツメ嵌合部溝（６ｂ）に嵌り込み、前記ハンドセット受部と前記ケースとの嵌合が保持されることを特徴とする請求項２記載のインターホンの筐体構造。
【請求項４】
前記ケースのケース表面（６ｃ）とツメ嵌合部面（６ｄ）とを前記ハンドセット受部のハンドセット受部面（３ｄ）とツメ固定部（３ｅ）とで挟み込むことにより前記ハンドセット受部のガタツキを抑制することを特徴とする請求項３記載のインターホンの筐体構造。
【請求項５】
前記ケースと前記シャーシとを嵌合させた際に、前記シャーシに設けたツメ可動部固定ツメ（５ｃ）を前記ハンドセットユニット接続ツメの前記ツメ可動部背面に配置することにより、前記ツメ可動部を固定して前記ハンドセットユニットと前記インターホン本体との嵌合を強固にすることを特徴とする請求項３又は請求項４記載のインターホンの筐体構造。
【発明の詳細な説明】
【０００１】
【発明の属する技術分野】
本発明はインターホンの筐体構造に係り、特にハンドセットとハンドセット受部をユニット化し、インターホン本体への取り外しが可能なインターホンの筐体構造に関する。
【０００２】
【従来の技術】
従来から、インターホン装置として、（１）インターホン本体にハンドセット受部が一体化されたハンドセットタイプ、（２）ハンドセットのないハンズフリータイプ、（３）ハンドセット付のハンズフリータイプの３種類が知られている。
【０００３】
特に、ハンドセットを接続する装置本体のインターホン操作面に対する互いに対向する側部の何れの側にも、ハンドセットを載置可能なハンドセット置き台を設置したインターホン装置によれば、装置本体の互いに対向する側部の何れの側にもハンドセットを載置できるようになる（例えば、特許文献１参照）。
【０００４】
【特許文献１】特開２００１−１８６２３２号公報（第３頁−４頁、第１図、第３図）
【０００５】
【発明が解決しようとする課題】
しかしながら、このような従来のインターホン装置では、市場にてシェアを伸ばしつつあるハンズフリータイプのインターホンにおいて、同一機種にてハンドセットの接続の有無の選択ができないという難点があった。
【０００６】
本発明は、このような従来の難点を解決するためになされたもので、ハンドセットとハンドセット受部をユニット化し、インターホン本体への接続の有無の選択が可能なインターホンの筐体構造を提供することを目的とする。
【０００７】
【課題を解決するための手段】
上記目的を達成する本発明のインターホンの筐体構造は、インターホンのハンドセットとハンドセット受部とをユニット化したハンドセットユニットをインターホン本体に着脱自在に接続し、ハンドセットユニットをインターホン本体から取り外してインターホンをハンズフリータイプとして使用し、ハンドセットユニットをインターホン本体へ接続してインターホンをハンドセット付のハンズフリータイプとして使用するものである。
【０００８】
このようなインターホンの筐体構造によれば、ハンズフリータイプのインターホンを、容易にハンドセット付のハンズフリータイプのインターホンに変更することができるようになる。
【０００９】
また、本発明のインターホンの筐体構造においては、ハンドセットユニットをインターホン本体から取り外したとき、インターホン本体のハンドセットユニット接続面上で、シャーシにハンドセットユニットとの接続部にあたる接続溝を設け、接続溝に取り外し可能な接続溝蓋を被蓋させたものである。これにより、ハンドセットユニットが接続されていなくともインターホン本体の外観を損ねることはなくなる。
【００１０】
また、本発明のインターホンの筐体構造においては、ハンドセットユニットをインターホン本体へ接続するとき、シャーシからケースを取り外した状態でケース裏面よりハンドセットユニット接続ツメをケースに設けられた接続ツメ嵌合部に嵌めてツメ可動部を弾性変形させ、ハンドセット受部がケースに完全に嵌合された位置でツメ凸部がツメ嵌合部溝に嵌り込み、ハンドセット受部とケースとの嵌合が保持されるものである。これにより、インターホン本体からハンドセットユニットが簡単に外れれてしまうことを防ぐことができる。
【００１１】
また、本発明のインターホンの筐体構造においては、ケースのケース表面とツメ嵌合部面とをハンドセット受部のハンドセット受部面とツメ固定部とで挟み込むことによりハンドセット受部のガタツキを抑制するものである。これにより、インターホン本体とハンドセットユニットとの接続部のガタツキによる損傷を防ぐことができる。
【００１２】
また、本発明のインターホンの筐体構造においては、ケースとシャーシとを嵌合させた際に、シャーシに設けたツメ可動部固定ツメをハンドセットユニット接続ツメのツメ可動部背面に配置することにより、ツメ可動部を固定してハンドセットユニットとインターホン本体との嵌合を強固にするものである。これにより、ハンドセットユニット接続ツメのツメ可動部が弾性変形してハンドセット受部のガタツキが生じてしまうことを防ぐことができる。
【００１３】
【発明の実態の形態】
以下、本発明のインターホンの筐体構造におけるその好ましい実施の形態例について図面を参照して説明する。
【００１４】
本発明のインターホンの筐体構造が適用されるインターホンは図１（ａ）、（ｂ）に示すように、シャーシ５及びケース６から成り上部側にテレビモニタ４１が配置され、壁面に取付け可能なボックス型に形成されている。このインターホンのハンドセット２とハンドセット受部３とはユニット化されてハンドセットユニット１に構成され、インターホン本体４に着脱自在に接続できるような構造になっている。このような構造により、ハンドセットユニット１をインターホン本体４から取り外してインターホンをハンズフリータイプとして使用し、ハンドセットユニット１をインターホン本体４へ接続してインターホンをハンドセット付のハンズフリータイプとして使用することができる。
【００１５】
具体的には図１（ａ）、（ｂ）、図２、図３（ａ）、（ｂ）、図４に示すように、インターホン本体４のハンドセットユニット接続面４ａ上に位置するシャーシ５には、ハンドセットユニット１の接続部にあたる接続溝５ａが例えば２箇所に設けられている。このシャーシ５に嵌合されるケース６の裏面には、シャーシ５に取付けた際、接続溝５ａに対向する位置に凹部の接続ツメ嵌合部６ａが設けられ、ハンドセットユニット１のハンドセット受部３には、この接続ツメ嵌合部６ａに嵌合される例えば当該接続ツメ嵌合部６ａに対して逆Ｕ字形になるハンドセットユニット接続ツメ３ａが設けられている。このハンドセットユニット接続ツメ３ａには、ケース６の接続ツメ嵌合部６ａに嵌合した際に当該ハンドセットユニット接続ツメ３ａを弾性変形させて接続ツメ嵌合部６ａに密着させるためのツメ可動部３ｂを逆Ｕ字の湾曲部に有している。
【００１６】
また、ハンドセット受部３のハンドセットユニット接続ツメ３ａにはツメ凸部３ｃが形成され、ケース６の接続ツメ嵌合部６ａの壁面にはこのツメ凸部３ｃが嵌り込むツメ嵌合部溝６ｂが形成されている。さらに、ケース６の接続ツメ嵌合部６ａが設けられた位置におけるケース表面６ｃ及び接続ツメ嵌合部６ａのツメ嵌合部面６ｄを挟み込むために、ハンドセット受部３にはハンドセット受部面３ｄとツメ固定部３ｅとが設けられている。なお、ツメ固定部３ｅはハンドセットユニット接続ツメ３ａに形成されている。
【００１７】
このようなケース６とシャーシ５とを嵌合させた際に、ツメ可動部３ｂを固定してハンドセットユニット１とインターホン本体４との嵌合を強固にするために、シャーシ５にはツメ可動部固定ツメ５ｃがハンドセットユニット接続ツメ３ａのツメ可動部３ｂの背面（逆Ｕ字の内面部）に配置するように設けられている。
【００１８】
なお、シャーシ５の接続溝５ａには、ハンドセットユニット１をインターホン本体４から取り外したときにインターホン本体４の外観を損ねないように、接続溝５ａに対して取り外し可能な接続溝蓋５ｂが被蓋される。
【００１９】
このような筐体構造を具備するインターホンにおいて、ハンズフリータイプのインターホンをハンドセット付のハンズフリータイプのインターホンに変更するには、インターホン本体４のケース６をシャーシ５から取り外すと共に、シャーシ５の接続溝５ａから接続溝蓋５ｂを取り外す。そして、ハンドセットユニット１をインターホン本体４に接続するために、ケース６の裏面よりハンドセットユニット接続ツメ３ａをケース６に設けられた接続ツメ嵌合部６ａに嵌めてツメ可動部３ｂを弾性変形させ、ハンドセット受部３をケース６に完全に嵌合させる。この嵌合された位置でハンドセット受部３のツメ凸部３ｃがケース６のツメ嵌合部溝６ｂに嵌り込むので、ハンドセット受部３とケース６との嵌合は保持される。したがって、インターホン本体４からハンドセットユニット１が簡単に外れれてしまうことを防ぐことができる。
【００２０】
なお、ケース６のケース表面６ｃとツメ嵌合部面６ｄとをハンドセット受部３のハンドセット受部面３ｄとツメ固定部３ｅとで挟み込むことから、ハンドセット受部３のガタツキを抑制することができる。したがって、インターホン本体４とハンドセットユニット１との接続部のガタツキによる損傷を防ぐことができる。
【００２１】
また、ケース６とシャーシ５とを嵌合させた際には、シャーシ５に設けたツメ可動部固定ツメ５ｃがハンドセット受部３のハンドセットユニット接続ツメ３ａのツメ可動部３ｂの背面に配置されていることになるので、ツメ可動部３ｂを固定してハンドセットユニット１とインターホン本体４との嵌合を強固にすることができる。したがって、ハンドセットユニット接続ツメ３ａのツメ可動部３ｂが弾性変形してハンドセット受部３のガタツキが生じてしまうことを防ぐことができる。
【００２２】
このようにハンドセット受部３をケース６に取付け後、このケース６とシャーシ５とを嵌合させて、変更が完了する。
【００２３】
次に、ハンドセット付のハンズフリータイプのインターホンをハンズフリータイプのインターホンに変更するには、インターホン本体４のケース６をシャーシ５から取り外し、ハンドセット受部３のハンドセットユニット接続ツメ３ａのツメ可動部３ｂを弾性変形させて、当該ハンドセットユニット接続ツメ３ａのツメ凸部３ｃを接続ツメ嵌合部６ａの壁面に形成されたツメ嵌合部溝６ｂから外し、ハンドセット受部３をケース５の裏面側に引き抜き、ハンドセットユニット１とインターホン本体４とを分ける。ハンドセットユニット１とインターホン本体４とを分けた後、インターホン本体４の外観を損ねないように、接続溝５ａに接続溝蓋５ｂを被蓋し、ケース６とシャーシ５とを嵌合させて、変更が完了する。
【００２４】
【発明の効果】
以上、説明したように、本発明のインターホンの筐体構造によれば、ハンドセットユニットのインターホン本体への接続の有無の選択が可能になるので、ハンズフリータイプのインターホンを、容易にハンドセット付のハンズフリータイプのインターホンに変更することができるようになる。また、ハンドセットユニットのインターホン本体への取付けにあたっては、ガタツキを抑制して強固に固定させることができる。
【図面の簡単な説明】
【図１】本発明のインターホンの筐体構造における好ましい実施の形態例を示す全体斜視図で、（ａ）はハンドセットユニットとインターホン本体が接続されている状態の図、（ｂ）はハンドセットユニットと本体が接続されていない状態の図。
【図２】インターホン本体のハンドセットユニット接続面側を示す斜視図。
【図３】本発明のインターホンの筐体構造を示す部分詳細図で、（ａ）はハンドセットユニットとインターホン本体が接続されていない状態の説明図、（ｂ）はハンドセットユニットとインターホン本体が接続されている状態の説明図。
【図４】ハンドセットユニットをケース裏面より接続させた状態を示す説明図。
【符号の説明】
１・・・・・ハンドセットユニット
２・・・・・ハンドセット
３・・・・・ハンドセット受部
３ａ・・・・・ハンドセットユニット接続ツメ
３ｂ・・・・・ツメ可動部
３ｃ・・・・・ツメ凸部
３ｄ・・・・・ハンドセット受部面
３ｅ・・・・・ツメ固定部
４・・・・・インターホン本体
４ａ・・・・・ハンドセットユニット接続面
５・・・・・シャーシ
５ａ・・・・・接続溝
５ｂ・・・・・接続溝蓋
５ｃ・・・・・ツメ可動部固定ツメ
６・・・・・ケース
６ａ・・・・・接続ツメ嵌合部
６ｂ・・・・・ツメ嵌合部溝
６ｃ・・・・・ケース表面
６ｄ・・・・・ツメ嵌合部面
【図１】
2004260680.tif 000003
【図２】
2004260680.tif 000004
【図３】
2004260680.tif 000005
【図４】
2004260680.tif 000006